【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、
前記像ずれ量に係数を掛けることによりデフォーカス量を算出し、
前記第１の光電変換素子及び前記第２の光電変換素子の少なくとも一方から得られた前記信号値に応じて前記係数を補正し、
焦点検出エリアにある前記複数の第１の光電変換素子及び前記複数の第２の光電変換素子の少なくとも一方から得られた前記複数の信号値の最大値を決定する処理手段を有し、
前記処理手段は、前記第１の光電変換素子及び前記第２の光電変換素子の少なくとも一方から得られた前記信号値が所定値よりも大きい場合、前記信号値が前記所定値以下の場合に比べて、前記係数が大きくなるように前記係数を補正し、
前記処理手段は、前記最大値が大きいほど前記係数が大きくなるように前記係数を補正することを特徴とする焦点検出装置。
【請求項２】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
焦点検出エリアにある複数の第１の光電変換素子及び複数の第２の光電変換素子の少なくとも一方から得られた複数の信号値の最大値を決定する処理手段を有し、
前記処理手段は、前記焦点検出エリアにある前記複数の第１の光電変換素子及び前記複数の第２の光電変換素子の少なくとも一方から得られた前記複数の信号値に基づく累積値が所定値よりも大きい場合、前記累積値が前記所定値以下の場合に比べて、前記係数が大きくなるように前記係数を補正し、
前記処理手段は、前記最大値が大きいほど前記係数が大きくなるように前記係数を補正することを特徴とする焦点検出装置。
【請求項３】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
焦点検出エリアにある複数の第１の光電変換素子及び複数の第２の光電変換素子の少なくとも一方から得られた複数の信号値が所定値以上か否か判定し、
前記焦点検出エリアにある前記複数の第１の光電変換素子及び前記複数の第２の光電変換素子の少なくとも一方から得られた前記複数の信号値の最大値を決定する処理手段を有し、
前記処理手段は、前記所定値以上の信号を示す画素数を算出し、
前記処理手段は、画素数が所定値よりも大きい場合、前記画素数が前記所定値以下の場合に比べて、前記係数が大きくなるように前記係数を補正し、
前記最大値が大きいほど前記係数が大きくなるように前記係数を補正することを特徴とする焦点検出装置。
【請求項４】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
焦点検出エリアにある複数の第１の光電変換素子及び複数の第２の光電変換素子の少なくとも一方から得られた複数の信号値が所定値以上か否かを判定し、
前記焦点検出エリアにある前記複数の第１の光電変換素子及び前記複数の第２の光電変換素子の少なくとも一方から得られた前記複数の信号値の最大値を決定する処理手段を有し、
前記処理手段は、前記複数の信号値のうち前記所定値以上の信号値に基づく値を加算することにより累積値、および、該所定値以上の信号値を示す画素数を算出し、
前記処理手段は、前記累積値と前記画素数との平均値が所定値よりも大きい場合、前記平均値が前記所定値以下の場合と比べて、前記係数が大きくなるように、前記係数を補正し、
前記処理手段は、前記最大値が大きくなるほど前記係数が大きくなるように前記係数を補正することを特徴とする焦点検出装置。
【請求項５】
前記処理手段は、前記第１の光電変換素子及び前記第２の光電変換素子の少なくとも一方から得られた前記信号値が大きいほど前記係数が大きくなるように補正することを特徴とする請求項１に記載の焦点検出装置。
【請求項６】
前記処理手段は、焦点検出エリアにある複数の第１の光電変換素子及び複数の第２の光電変換素子の少なくとも一方から得られた複数の信号値に基づく累積値が大きいほど前記係数が大きくなるように補正することを特徴とする請求項２に記載の焦点検出装置。
【請求項７】
前記処理手段は、前記複数の第１の光電変換素子及び前記複数の第２の光電変換素子の少なくとも一方から得られた前記複数の信号値が所定値以上であるか否かを判定し、
前記処理手段は、前記複数の信号値のうち前記所定値以上の信号値に基づく値を加算することにより前記累積値を算出することを特徴とする請求項６に記載の焦点検出装置。
【請求項８】
前記処理手段は、前記所定値以上の前記信号値から該所定値を減じて得られた値を加算することにより前記累積値を算出することを特徴とする請求項７に記載の焦点検出装置。
【請求項９】
前記処理手段は、前記累積値に所定割合を乗じて得られた値を用いて補正係数を算出することを特徴とする請求項６乃至８のいずれか１項に記載の焦点検出装置。
【請求項１０】
前記処理手段は、前記焦点検出エリアにある前記複数の第１の光電変換素子及び前記複数の第２の光電変換素子の少なくとも一方から得られた前記複数の信号値が所定値以上であるか否かを判定し、
前記処理手段は、前記所定値以上の信号値を示す画素数を算出し、
前記処理手段は、前記画素数が多いほど前記係数が大きくなるように補正することを特徴とする請求項１に記載の焦点検出装置。
【請求項１１】
前記処理手段は、前記焦点検出エリアにある前記複数の第１の光電変換素子及び前記複数の第２の光電変換素子の少なくとも一方から得られた前記複数の信号値が所定値以上であるか否かを判定し、
前記処理手段は、前記複数の信号値のうち前記所定値以上の信号値に基づく値を加算することにより累積値、および、該所定値以上の信号値を示す画素数を算出し、
前記処理手段は、前記累積値と前記画素数との平均値が大きいほど前記係数が大きくなるように前記係数を補正することを特徴とする請求項１に記載の焦点検出装置。
【請求項１２】
前記処理手段は、前記デフォーカス量の絶対値に基づいて合焦判定を行い、
前記処理手段は、レンズ駆動方向が直前のレンズ駆動方向から反転した場合に合焦状態であると判定することを特徴とする請求項１乃至１１のいずれか１項に記載の焦点検出装置。
【請求項１３】
前記処理手段は、前記デフォーカス量の絶対値に基づいて合焦判定を行い、
前記処理手段は、前記デフォーカス量の符号が直前のデフォーカス量の符号と反転した場合に合焦状態であると判定することを特徴とする請求項１乃至１１のいずれか１項に記載の焦点検出装置。
【請求項１４】
請求項１乃至１３のいずれか１項に記載の焦点検出装置と、
前記第１の光電変換素子および前記第２の光電変換素子の加算信号を用いて得られた画像信号を処理する画像処理手段と、を有することを特徴とする撮像装置。
【請求項１５】
撮影光学系と、
前記撮影光学系を介して得られた光学像を取得可能に構成された、請求項１４に記載の撮像装置と、を有することを特徴とする撮像システム。
【請求項１６】
前記第１の光電変換素子および前記第２の光電変換素子は、前記撮影光学系の射出瞳の異なる領域を通過した一対の光束を受光するように構成されていることを特徴とする請求項１５に記載の撮像システム。
【請求項１７】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
焦点検出エリアにある複数の第１の光電変換素子及び複数の第２の光電変換素子の少なくとも一方から得られた複数の信号値の最大値を決定するステップと、を有し、
前記第１の光電変換素子及び前記第２の光電変換素子の少なくとも一方から得られた前記信号値が所定値よりも大きい場合、前記信号値が前記所定値以下の場合に比べて、前記係数が大きくなるように、前記係数は補正され、
前記最大値が大きいほど前記係数が大きくなるように前記係数は補正されることを特徴とする焦点検出方法。
【請求項１８】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
焦点検出エリアにある複数の第１の光電変換素子及び複数の第２の光電変換素子の少なくとも一方から得られた複数の信号値の最大値を決定するステップと、を有し、
前記焦点検出エリアにある前記複数の第１の光電変換素子及び前記複数の第２の光電変換素子の少なくとも一方から得られた前記複数の信号値に基づく累積値が所定値よりも大きい場合、前記累積値が前記所定値以下の場合に比べて、前記係数が大きくなるように前記係数は補正され、
前記最大値が大きいほど前記係数が大きくなるように前記係数は補正されることを特徴とする焦点検出方法。
【請求項１９】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
焦点検出エリアにある複数の第１の光電変換素子及び前記の第２の光電変換素子の少なくとも一方から得られた複数の信号値が所定値以上かどうか判定するステップと、
前記焦点検出エリアにある前記複数の第１の光電変換素子及び前記複数の第２の光電変換素子の少なくとも一方から得られた前記複数の信号値の最大値を決定するステップと、を有し、
前記所定値以上の信号を示す画素数が算出され、
画素数が所定値よりも大きい場合、前記画素数が前記所定値以下の場合に比べて、前記係数が大きくなるように前記係数は補正され、
前記最大値が大きいほど前記係数が大きくなるように前記係数は補正されることを特徴とする焦点検出方法。
【請求項２０】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
焦点検出エリアにある複数の第１の光電変換素子及び複数の第２の光電変換素子の少なくとも一方から得られた複数の信号値が所定値以上か否かを判定するステップと、
前記焦点検出エリアにある前記複数の第１の光電変換素子及び前記複数の第２の光電変換素子の少なくとも一方から得られた前記複数の信号値の最大値を決定するステップと、を有し、
前記複数の信号値のうち前記所定値以上の信号値に基づく値を加算することにより累積値、および、該所定値以上の信号値を示す画素数が算出され、
前記累積値と前記画素数との平均値が所定値よりも大きい場合、前記平均値が前記所定値以下の場合と比べて、前記係数が大きくなるように、前記係数は補正され、
前記最大値が大きくなるほど前記係数が大きくなるように前記係数は補正されることを特徴とする焦点検出方法。
【請求項２１】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
前記デフォーカス量の絶対値に基づいて合焦判定を行う処理手段を有し、
前記処理手段は、前記第１の光電変換素子及び前記第２の光電変換素子の少なくとも一方から得られた前記信号値が所定値よりも大きい場合、前記信号値が前記所定値以下の場合に比べて、前記係数が大きくなるように前記係数を補正し、
前記処理手段は、レンズ駆動方向が直前のレンズ駆動方向から反転した場合に合焦状態であると判定することを特徴とする焦点検出装置。
【請求項２２】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
前記デフォーカス量の絶対値に基づいて合焦判定を行うステップと、を有し、
前記第１の光電変換素子及び前記第２の光電変換素子の少なくとも一方から得られた前記信号値が所定値よりも大きい場合、前記信号値が前記所定値以下の場合に比べて、前記係数が大きくなるように前記係数は補正され、
レンズ駆動方向が直前のレンズ駆動方向から反転した場合に合焦状態であると判定されることを特徴とする焦点検出方法。
【請求項２３】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
前記デフォーカス量の絶対値に基づいて合焦判定を行う処理手段を有し、
前記処理手段は、焦点検出エリアにある複数の第１の光電変換素子及び複数の第２の光電変換素子の少なくとも一方から得られた複数の信号値に基づく累積値が所定値よりも大きい場合、前記累積値が前記所定値以下の場合に比べて、前記係数が大きくなるように前記係数を補正し、
前記処理手段は、レンズ駆動方向が直前のレンズ駆動方向から反転した場合に合焦状態であると判定することを特徴とする焦点検出装置。
【請求項２４】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
焦点検出エリアにある複数の第１の光電変換素子及び複数の第２の光電変換素子の少なくとも一方から得られた複数の信号値が所定値以上であるか否かを判定し、
前記デフォーカス量の絶対値に基づいて合焦判定を行う処理手段を有し、
前記処理手段は、所定値以上の信号値を示す画素数を算出し、
前記処理手段は、画素数が所定値より大きい場合、画素数が所定値以下の場合に比べて、前記係数が大きくなるように前記係数を補正し、
前記処理手段は、レンズ駆動方向が直前のレンズ駆動方向から反転した場合に合焦状態であると判定することを特徴とする焦点検出装置。
【請求項２５】
レンズを共有する第１の光電変換素子および第２の光電変換素子を備えた撮像素子を有する焦点検出装置であって、
前記第１の光電変換素子および第２の光電変換素子は、撮影光学系の異なる射出瞳を通過した像を光電変換して位相差検出方式による焦点調節を行う焦点検出信号を出力する機能を備え、
前記第１の光電変換素子および前記第２の光電変換素子のそれぞれから得られた信号値を用いた相関演算を行って像ずれ量を算出し、前記像ずれ量に係数を掛けることによりデフォーカス量を算出し、
前記第１の光電変換素子及び前記第２の光電変換素子の少なくとも一方から得られた前記信号値に応じて前記係数を補正し、
焦点検出エリアにある複数の第１の光電変換素子及び複数の第２の光電変換素子の少なくとも一方から得られた複数の信号値が所定値以上であるか否かを判定し、
前記デフォーカス量の絶対値に基づいて合焦判定を行う処理手段を有し、
前記処理手段は、前記複数の信号値のうち前記所定値以上の信号値に基づく値を加算することにより累積値を算出し、前記所定値以上の前記信号値を示す画素数を算出し、
前記処理手段は、前記累積値と前記画素数との平均値が所定値よりも大きい場合、前記平均値が前記所定値以下の場合と比べて、前記係数が大きくなるように、前記係数を補正し、
前記処理手段は、レンズ駆動方向が直前のレンズ駆動方向から反転した場合に合焦状態であると判定することを特徴とする焦点検出装置。
【請求項２６】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
前記デフォーカス量の絶対値に基づいて合焦判定を行うステップと、を有し、
焦点検出エリアにある複数の第１の光電変換素子及び複数の第２の光電変換素子の少なくとも一方から得られた複数の信号値に基づく累積値が所定値よりも大きい場合、前記累積値が前記所定値以下の場合に比べて、前記係数が大きくなるように前記係数は補正され、
レンズ駆動方向が直前のレンズ駆動方向から反転した場合に合焦状態であると判定されることを特徴とする焦点検出方法。
【請求項２７】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
焦点検出エリアにある複数の第１の光電変換素子及び複数の第２の光電変換素子の少なくとも一方から得られた複数の信号値が所定値以上であるか否かを判定するステップと、
前記デフォーカス量の絶対値に基づいて合焦判定を行うステップと、を有し、
前記所定値以上の信号値を示す画素数を算出され、
前記画素数が所定値より大きい場合、前記画素数が所定値以下の場合に比べて、前記係数が大きくなるように前記係数は補正され、
レンズ駆動方向が直前のレンズ駆動方向から反転した場合に合焦状態であると判定されることを特徴とする焦点検出方法。
【請求項２８】
レンズを共有する第１の光電変換素子および第２の光電変換素子を備えた撮像素子を有する焦点検出方法であって、
前記第１の光電変換素子および第２の光電変換素子は、撮影光学系の異なる射出瞳を通過した像を光電変換して位相差検出方式による焦点調節を行う焦点検出信号を出力するステップと、
前記第１の光電変換素子および前記第２の光電変換素子のそれぞれから得られた信号値を用いた相関演算を行って像ずれ量を算出するステップと、
前記像ずれ量に係数を掛けることによりデフォーカス量を算出するステップと、
前記第１の光電変換素子及び前記第２の光電変換素子の少なくとも一方から得られた前記信号値に応じて前記係数を補正するステップと、
焦点検出エリアにある複数の第１の光電変換素子及び複数の第２の光電変換素子の少なくとも一方から得られた複数の信号値が所定値以上であるか否かを判定するステップと、
前記デフォーカス量の絶対値に基づいて合焦判定を行うステップと、を有し、
前記複数の信号値のうち前記所定値以上の信号値に基づく値を加算することにより累積値は算出され、前記所定値以上の前記信号値を示す画素数が算出され、
前記累積値と前記画素数との平均値が所定値よりも大きい場合、前記平均値が前記所定値以下の場合と比べて、前記係数が大きくなるように、前記係数は補正され、
レンズ駆動方向が直前のレンズ駆動方向から反転した場合に合焦状態であると判定されることを特徴とする焦点検出方法。
【手続補正２】
【補正対象書類名】明細書
【補正対象項目名】０００８
【補正方法】変更
【補正の内容】
【０００８】
本発明の一側面としての焦点検出装置は、レンズを共有する第１の光電変換素子および第２の光電変換素子を備えた撮像素子を有する焦点検出装置であって、前記第１の光電変換素子および第２の光電変換素子は、撮影光学系の異なる射出瞳を通過した像を光電変換して位相差検出方式による焦点調節を行う焦点検出信号を出力する機能を備え、前記第１の光電変換素子および前記第２の光電変換素子のそれぞれから得られた信号値を用いた相関演算を行って像ずれ量を算出し、前記像ずれ量に係数を掛けることによりデフォーカス量を算出し、前記第１の光電変換素子及び前記第２の光電変換素子の少なくとも一方から得られた前記信号値に応じて前記係数を補正し、焦点検出エリアにある前記複数の第１の光電変換素子及び前記複数の第２の光電変換素子の少なくとも一方から得られた前記複数の信号値の最大値を決定する処理手段を有し、前記処理手段は、前記第１の光電変換素子及び前記第２の光電変換素子の少なくとも一方から得られた前記信号値が所定値よりも大きい場合、前記信号値が前記所定値以下の場合に比べて、前記係数が大きくなるように前記係数を補正し、前記最大値が大きいほど前記係数が大きくなるように前記係数を補正する。
【手続補正３】
【補正対象書類名】明細書
【補正対象項目名】００１０
【補正方法】変更
【補正の内容】
【００１０】
本発明の他の側面としての撮像システムは、撮影光学系と、前記撮影光学系を介して得られた光学像を取得可能に構成された前記撮像装置とを有する。
【手続補正４】
【補正対象書類名】明細書
【補正対象項目名】００１１
【補正方法】変更
【補正の内容】
【００１１】
本発明の他の側面としての焦点検出方法は、レンズを共有する第１の光電変換素子および第２の光電変換素子を備えた撮像素子を有する焦点検出方法であって、前記第１の光電変換素子および第２の光電変換素子は、撮影光学系の異なる射出瞳を通過した像を光電変換して位相差検出方式による焦点調節を行う焦点検出信号を出力するステップと、前記第１の光電変換素子および前記第２の光電変換素子のそれぞれから得られた信号値を用いた相関演算を行って像ずれ量を算出するステップと、前記像ずれ量に係数を掛けることによりデフォーカス量を算出するステップと、前記第１の光電変換素子及び前記第２の光電変換素子の少なくとも一方から得られた前記信号値に応じて前記係数を補正するステップと、焦点検出エリアにある前記複数の第１の光電変換素子及び前記複数の第２の光電変換素子の少なくとも一方から得られた前記複数の信号値の最大値を決定するステップと、を有し、前記第１の光電変換素子及び前記第２の光電変換素子の少なくとも一方から得られた前記信号値が所定値よりも大きい場合、前記信号値が前記所定値以下の場合に比べて、前記係数が大きくなるように、前記係数は補正され、前記最大値が大きいほど前記係数が大きくなるように前記係数は補正される。